(57)【要約】流体の複数の特性それぞれの値を判定するための流体テスト装置において、流体テスト装置は、平面ベース、前記平面ベース上に位置する複数のテスト領域からなり、前記テスト領域それぞれは、前記流体と反応物の反応の結果として前記値に沿って色を表すテスト下部領域、および複数の互いに異なる基準色を含み、前記テスト下部領域に隣接するように位置する基準領域を含む。
2005525553.tif 000002
【特許請求の範囲】
【請求項１】
流体の複数の特性それぞれの値を判定するための流体テスト装置において、平面ベースと、前記平面ベース上に位置する複数のテスト領域からなり、前記テスト領域それぞれは、前記流体と反応物の反応の結果として、前記値に沿って色を表すテスト下部領域と、複数の互いに異なる基準色を含み、前記テスト下部領域に隣接して位置する基準領域とを含むことを特徴とする流体テスト装置。
【請求項２】
前記値は、前記互いに異なる基準色と前記色を一致させることによって判定されることを特徴とする請求項１に記載の流体テスト装置。
【請求項３】
前記テスト領域は、前記流体の特性それぞれに対するラベルをさらに含むことを特徴とする請求項１に記載の流体テスト装置。
【請求項４】
前記下部領域には、前記反応物を含浸させることを特徴とする請求項１に記載の流体テスト装置。
【請求項５】
前記特性それぞれは、前記流体内の互いに異なる物質の濃度であることを特徴とする請求項１に記載の流体テスト装置。
【請求項６】
前記互いに異なる物質は、硝酸塩、亜硝酸塩、鉛、亜鉛、大膓菌、ナトリウム、鉄、銅、塩素、バクテリア、沈殿物、硫化水素からなるリストから選択されることを特徴とする請求項５に記載の流体テスト装置。
【請求項７】
前記特性のうち選択された１つは、水の硬度であることを特徴とする請求項１に記載の流体テスト装置。
【請求項８】
前記特性のうち選択された１つは、前記流体のｐＨであることを特徴とする請求項１に記載の流体テスト装置。
【請求項９】
前記特性のうち選択された１つは、前記流体の全アルカリ度であることを特徴とする請求項１に記載の流体テスト装置。
【請求項１０】
前記流体は、水、空気、液体燃料、原油からなるリストから選択されることを特徴とする請求項１に記載の流体テスト装置。
【請求項１１】
前記平面ベースは、軟質ポリマ、硬質ポリマ、合成物質、硝子、紙、プラスチックでコーティングされた紙、ボール紙、木材、粘土、セラミックス、石材、皮革、織物、金属からなるリストから選択された物質から構成されることを特徴とする請求項１に記載の流体テスト装置。
【請求項１２】
前記平面ベースは、シート状であることを特徴とする請求項１に記載の流体テスト装置。
【請求項１３】
前記シートの幾何学的形態は、長方形、正方形、三角形、菱形、平行四辺形、台形、四辺形、円形、環形、楕円形、円の一部分、自由形状の閉曲線からなるリストから選択されることを特徴とする請求項１２に記載の流体テスト装置。
【請求項１４】
前記シートの形式は、平坦、ロール状、折り曲げられている、ねじれている、凸状または凹状のものからなるリストから選択されることを特徴とする請求項１２項に記載の流体テスト装置。
【請求項１５】
前記互いに異なる基準色は、同一の色相であって、ここで、前記基準色それぞれは、互いに異なる彩度レベルおよび互いに異なる光度レベルを有することを特徴とする請求項１に記載の流体テスト装置。
【請求項１６】
前記流体の特性の許容可能値を指定する前記互いに異なる基準色のうち少なくとも１つは、境界線によって、前記流体の特性の許容不可値を指定する前記互いに異なる基準色のうち少なくとも他の１つから分離されていることを特徴とする請求項１に記載の流体テスト装置。
【請求項１７】
前記テスト領域は、値表示領域をさらに含み、前記値表示領域は複数の数字を含むが、前記数字それぞれは、それぞれの基準色に隣接して位置し、前記流体の特性の選択された値をそれぞれ表すことを特徴とする請求項１に記載の流体テスト装置。
【請求項１８】
前記数字のうち選択された１つは、異なるスタイルで表すことができるが、これにより、前記特性の許容可能値を指定する少なくとも１つの数字を、前記特性の収容不可値を指定する少なくとも他の１つの数字から分離することを特徴とする請求項１７に記載の流体テスト装置。
【請求項１９】
前記異なるスタイルは、ボールド体、イタリック体、下線、色、書体、大きさからなるリストから選択されることを特徴とする請求項１８に記載の流体テスト装置。
【請求項２０】
流体の複数の特性それぞれの値を判定するための流体テスト装置において、少なくとも１つの透明部分を有する容器、前記流体と反応物の反応の結果として前記値に沿って色を表す複数のテスト下部領域、および複数の互いに異なる基準色を含み、前記各テスト下部領域に隣接して位置する基準領域を含むこととを特徴とする流体テスト装置。
【請求項２１】
前記値は、前記互いに異なる基準色と前記色を一致させることによって判定されることを特徴とする請求項２０に記載の流体テスト装置。
【請求項２２】
前記容器の少なくとも部分的に開放された端を閉鎖するための栓をさらに含むことを特徴とする請求項２０に記載の流体テスト装置。
【請求項２３】
前記容器は、高分子物質、硝子、木材、粘土、セラミック、石材、および金属からなるリストから選択された物質からつくられることを特徴とする請求項２０に記載の流体テスト装置。
【請求項２４】
前記容器の断面は、長方形、正方形、三角形、菱形、平行四辺形、台形、四辺形、円形、環形、楕円形、円の一部分、自由形状の閉曲線からなるリストから選択されることを特徴とする請求項２０に記載の流体テスト装置。
【請求項２５】
前記容器は、前記特性それぞれに対する複数の互いに異なるラベルを含み、前記互いに異なるラベルそれぞれは、前記テスト領域それぞれに隣接して位置することを特徴とする請求項２０に記載の流体テスト装置。
【請求項２６】
前記テスト領域それぞれは、前記容器の内部壁に取り付けられ、前記テスト領域は、前記反応物が注入されたことを特徴とする請求項２０に記載の流体テスト装置。
【請求項２７】
前記テスト領域は、前記流体のテスト後、同一種類の使用されないテスト領域に取り替えられることを特徴とする請求項２６項に記載の流体テスト装置。
【請求項２８】
前記流体の特性それぞれに対する基準領域は円形からなり、前記各基準領域に対する前記互いに異なる基準色は、前記円の一部分からなり、前記特性に対するテスト領域は、前記円を取り囲む環形からなることを特徴とする請求項２０に記載の流体テスト装置。
【請求項２９】
前記流体の特性それぞれに対する基準領域および前記特性それぞれに対するテスト領域は、帯状からなることを特徴とする請求項２０に記載の流体テスト装置。
【請求項３０】
前記テスト領域それぞれは前記反応物を含み、前記反応物は、前記容器の前記内部壁に塗布されていることを特徴とする請求項２０に記載の流体テスト装置。
【請求項３１】
前記特性それぞれは、前記流体内の互いに異なる物質の濃度であることを特徴とする請求項２０に記載の流体テスト装置。
【請求項３２】
前記互いに異なる物質は、硝酸塩、亜硝酸塩、鉛、亜鉛、大膓菌、ナトリウム、鉄、銅、塩素、バクテリア、沈殿物、硫化水素からなるリストから選択されることを特徴とする請求項３１に記載の流体テスト装置。
【請求項３３】
前記特性のうち選択された１つは、水の硬度であることを特徴とする請求項２０に記載の流体テスト装置。
【請求項３４】
前記特性のうち選択された１つは、前記流体のｐＨであることを特徴とする請求項２０に記載の流体テスト装置。
【請求項３５】
前記特性のうち選択された１つは、前記流体の全アルカリ度であることを特徴とする請求項２０に記載の流体テスト装置。
【請求項３６】
前記流体の特性の許容可能値を指定する、前記互いに異なる基準色のうち少なくとも１つは、境界線によって前記流体の特性の許容不可値を指定する前記互いに異なる基準色のうち少なくとも他の１つから分離されていることを特徴とする請求項２０に記載の流体テスト装置。
【請求項３７】
前記テスト領域それぞれは、値表示領域をさらに含み、前記値表示領域は、複数の数字を含むが、前記数字それぞれは、それぞれの基準色に隣接して位置し、前記流体の特性の選択された値をそれぞれ表すことを特徴とする請求項２０に記載の流体テスト装置。
【請求項３８】
前記数字のうち選択された１つは、異なるスタイルで表すことができるが、これにより、前記特性の許容可能値を指定する少なくとも１つの数字を、前記特性の許容不可値を指定する少なくとも他の１つの数字から分離することを特徴とする請求項３７に記載の流体テスト装置。
【請求項３９】
流体の複数の特性それぞれの値を判定するための流体テスト装置において、少なくとも１つの透明部分を有する複数の容器、前記流体と反応物の反応の結果として前記値に沿って色を表す前記容器それぞれに対するテスト領域、および複数の互いに異なる基準色を含み、前記各テスト領域に隣接して位置する、前記領域それぞれに対する基準領域を含むことを特徴とする流体テスト装置。
【請求項４０】
前記値は、選択された容器に対する前記基準領域の前記互いに異なる基準色のうちのいずれか１つと、前記選択された容器に対する前記テスト領域の前記色を一致させることによって判定されることを特徴とする請求項３９に記載の流体テスト装置。
【請求項４１】
前記容器は、剛体の部分であることを特徴とする請求項３９に記載の流体テスト装置。
【請求項４２】
前記容器それぞれは分離された本体であり、前記容器は、共に結合されていることを特徴とする請求項３９に記載の流体テスト装置。
【請求項４３】
前記容器それぞれの少なくとも部分的に開放された端を閉鎖するための栓をさらに含むことを特徴とする請求項３９に記載の流体テスト装置。
【請求項４４】
前記栓は、本体の一部であることを特徴とする請求項３９に記載の流体テスト装置。
【請求項４５】
前記テスト領域は、前記容器それぞれの内部壁に取り付けられ、前記テスト領域は、前記反応物が注入されたことを特徴とする請求項３９に記載の流体テスト装置。
【請求項４６】
前記テスト領域は、前記流体のテスト後、同一の種類の使用されないテスト領域に取り替えられることを特徴とする請求項４５に記載の流体テスト装置。
【請求項４７】
前記基準領域は、円形からなり、前記各基準領域に対する前記互いに異なる基準色は、前記円の一部分からなり、前記基準領域に対する前記テスト領域は、前記円を取り囲む環形からなることを特徴とする請求項３９に記載の流体テスト装置。
【請求項４８】
前記基準領域および前記基準領域に対する前記テスト領域は、帯状からなることを特徴とする請求項３９に記載の流体テスト装置。
【請求項４９】
前記テスト領域は前記反応物を含み、前記反応物は、前記容器それぞれの前記内部壁に塗布されていることを特徴とする請求項３９に記載の流体テスト装置。
【請求項５０】
前記特性それぞれは、前記流体内の互いに異なる物質の濃度であることを特徴とする請求項３９に記載の流体テスト装置。
【請求項５１】
前記互いに異なる物質は、硝酸塩、亜硝酸塩、鉛、亜鉛、大膓菌、ナトリウム、鉄、銅、塩素、バクテリア、沈殿物、硫化水素からなるリストから選択されることを特徴とする請求項５０に記載の流体テスト装置。
【請求項５２】
前記特性のうち選択された１つは、水の硬度であることを特徴とする請求項３９に記載の流体テスト装置。
【請求項５３】
前記特性のうち選択された１つは、前記流体のｐＨであることを特徴とする請求項３９に記載の流体テスト装置。
【請求項５４】
前記特性のうち選択された１つは、前記流体の全アルカリ度であることを特徴とする請求項３９に記載の流体テスト装置。
【請求項５５】
前記流体の特性の許容可能値を指定する、前記互いに異なる基準色のうち少なくとも１つは、境界線によって前記特性の許容不可値を指定する前記互いに異なる基準色のうち少なくとも他の１つから分離されていることを特徴とする請求項３９に記載の流体テスト装置。
【請求項５６】
前記テスト領域は、値表示領域をさらに含み、前記値表示領域は、複数の数字を含むが、前記数字それぞれは、それぞれの基準色に隣接して位置し、前記流体の特性の選択された値をそれぞれ表すことを特徴とする請求項３９に記載の流体テスト装置。
【請求項５７】
流体の複数の特性値を判定するための方法において、平面ベース上に複数のテスト領域を設ける段階、複数の基準色表を前記テスト領域それぞれに対する特性テスト物質とあらかじめ関連付ける段階、前記特性テスト物質のテスト色と、前記複数の基準色表の互いに異なる色のうち選択されたいずれか１つを一致させる段階、および前記一致させる段階の結果によって前記値のうちの１つをそれぞれ判定する段階を含むことを特徴とする流体の複数の特性値を判定するための方法。
【請求項５８】
前記あらかじめ関連付ける段階の後、前記流体に前記テスト領域を接触させる段階をさらに含み、前記流体と前記特性テスト物質との反応の結果として、前記特性テスト物質が前記テスト色を表すようにすることを特徴とする請求項５７に記載の流体の複数の特性値を判定するための方法。
【請求項５９】
前記テスト領域それぞれに、当該特性テスト物質を注入する予備段階をさらに含むことを特徴とする請求項５７に記載の流体の複数の特性値を判定するための方法。
【請求項６０】
前記判定する段階は、前記互いに異なる色それぞれに隣接して配置される、複数の数字のうち選択された１つを読む下部段階をさらに含み、前記選択された数字は、前記値を指定し、前記数字が前記異なる色それぞれに隣接して配置されることを特徴とする請求項５７に記載の流体の複数の特性値を判定するための方法。
【請求項６１】
流体の複数の特性値を判定するための方法において、複数の容器それぞれの内部壁上に位置する、複数のテスト領域を設ける段階、複数の基準色表を、前記テスト領域それぞれに対する特性テスト物質とあらかじめ関連付ける段階、前記特性テスト物質のテスト色と、前記複数の基準色表の互いに異なる色のうち選択されたいずれか１つを一致させる段階、および前記一致させる段階の結果によって前記値のうち１つをそれぞれ判定する段階を含むことを特徴とする流体の複数の特性値を判定するための方法。
【請求項６２】
前記あらかじめ関連付ける段階の後、前記容器内に前記流体を注ぐことによって、前記流体に前記テスト領域を接触させる段階をさらに含み、前記流体と前記特性テスト物質との反応の結果として、前記特性テスト物質が前記テスト色を表すようにすることを特徴とする請求項６１に記載の流体の複数の特性値を判定するための方法。
【請求項６３】
前記テスト領域それぞれに、当該特性テスト物質を注入する予備段階をさらに含むことを特徴とする請求項６１に記載の流体の複数の特性値を判定するための方法。
【請求項６４】
流体の複数の特性それぞれの値を基準値と比較するための流体テスト装置において、平面ベース、および前記平面ベース上に位置する複数のテスト領域を含み、前記テスト領域は、前記流体と反応物の反応の結果として前記値に沿って色を表すテスト下部領域、および前記テスト下部領域に隣接して位置し、前記基準値に対応する少なくとも１つの基準色を含む基準領域を含むことを特徴とする流体テスト装置。
【請求項６５】
前記基準値は、最大許容可能値であることを特徴とする請求項６３に記載の流体テスト装置。
【請求項６６】
前記基準値は、最小許容可能値であることを特徴とする請求項６３に記載の流体テスト装置。
【請求項６７】
前記基準値は、前記基準色に隣接して印刷されていることを特徴とする請求項６４に記載の流体テスト装置。
【請求項６８】
前記テスト領域は、前記流体の特性に対するラベルをさらに含むことを特徴とする請求項６４に記載の流体テスト装置。
【請求項６９】
前記テスト領域は、前記反応物を含浸させてあることを特徴とする請求項６５に記載の流体テスト装置。
【請求項７０】
前記基準領域は、少なくとも２つの基準着色下部領域を含むことを特徴とする請求項６５に記載の流体テスト装置。
【請求項７１】
前記基準領域は、境界線を含むことを特徴とする請求項７０に記載の流体テスト装置。
【請求項７２】
流体の複数の特性値を複数の基準値と比較するための方法において、平面ベース上に、複数のテスト領域を設ける段階、少なくとも１つの基準色を含む基準色表からの色を前記テスト領域それぞれの特性テスト物質とあらかじめ関連付ける段階、前記特性テスト物質のテスト色を獲得するために、前記平面ベースを前記流体に浸漬させる段階、前記特性テスト物質の前記テスト色と、前記少なくとも１つの基準色を比較する段階を含むことを特徴とする流体の複数の特性値を複数の基準値と比較するための方法。
【請求項７３】
前記基準色表は、最大許容可能値を含むことを特徴とする請求項７２に記載の流体の複数の特性値を複数の基準値と比較するための方法。
【請求項７４】
前記基準色表は、最小許容可能値を含むことを特徴とする請求項７２に記載の流体の複数の特性値を複数の基準値と比較するための方法。
【請求項７５】
流体の少なくとも１つの特性値を判定するための流体テスト装置において、平面ベース、前記平面ベース上に位置する少なくとも１つのテスト領域を含み、前記テスト領域それぞれは、前記流体と反応物の反応の結果として前記値に沿って色を表すテスト下部領域、および前記テスト下部領域に隣接して少なくとも１つの基準色を含み基準領域を含むことを特徴とする流体テスト装置。
【請求項７６】
前記値は、前記少なくとも１つの基準色のうちの１つと前記色を一致させることによって判定されることを特徴とする請求項７５に記載の流体テスト装置。
【請求項７７】
前記テスト領域は、前記流体の特性それぞれに対するラベルをさらに含むことを特徴とする請求項７５に記載の流体テスト装置。
【請求項７８】
前記テスト領域は、前記反応物が注入されたことを特徴とする請求項７５に記載の流体テスト装置。
【請求項７９】
前記少なくとも１つの特性は、前記流体内の物質の濃度であることを特徴とする請求項７５に記載の流体テスト装置。
【請求項８０】
前記テスト領域は、値表示領域をさらに含み、前記値表示領域は、少なくとも１つの数字を含むが、前記少なくとも１つの数字は、前記少なくとも１つの基準色それぞれに隣接して位置し、前記流体の特性の選択された値を表すことを特徴とする請求項７５に記載の流体テスト装置。
【発明の詳細な説明】
【技術分野】
【０００１】
開示された技術は一般的に流体をテストするための方法およびシステムに関するものである。特に、水質をテストするための方法およびシステムに関するものである。
【背景技術】
【０００２】
化学物質および他の特性のために水質をテストするための方法およびシステムは、本技術分野においてすでに知られている。一般的に知られている方法は、化学反応物が注入された紙のような吸収材をテスト水中に挿入する過程を含む。前記化学反応物は、所定の化学物質または所定の流体特性と反応するように設計されている。このような反応の結果、前記反応物の色が変わり、前記吸収材上に表れるようになる。
【０００３】
したがって、テストされる水がこのような所定の化学物質を含み、または所定の流体特性を特徴とするときに変色する。さらに、最終色の色相は、基準色表と前記色相を比較することにより、検出された化学物質または特性のレベルを量的に決定することができる。
【０００４】
アメリカ合衆国特許第３，８７６，３７８号モンタニョン（Ｍｏｎｔａｇｎｏｎ）の『反応に敏感な化学物質を用いた分析装置』は、反応物を用いて溶液の化学物質をテストするための装置を示す。この装置の構造は、このようなテストで生じうる問題点を克服しようとするものである。前記装置は、溝が形成された底にフランジを有する容器、および吸収材でつくったディスクを含むが、前記ディスクは、前記溝に十分なじむ。前記ディスクには反応物が注入されており、前記テスト溶液に入れると、前記溶液の条件により前記ディスクが変色する。
【０００５】
アメリカ合衆国特許第４，９０４，６０５号オブライエン（０’Ｂｒｉｅｎ  ｅｔａｌ．）の『家庭用水テストセットのための装置および方法』は、複数の化学物質および他の特性のために水質をテストするための方法およびシステムを示す。前記水質テストセットは、外部にラベルが貼り付けられた容器を含む。前記ラベルは、色比較表および選択的に操作指示事項を含む。前記比較表は、テストされる特性を示す。前記表の各行は、１つの化学物質または特性に関するものであり、色表および前記化学物質濃度または当該特性の対応するレベルを含む。さらに、前記セットは、計深棒または試験紙を含む。前記計深棒または試験紙は、複数の領域に分けられる。各領域は、特定化学物質または流体特性に反応する反応物を含んでおり、前記領域で変色する。前記装置を用いて水質をテストするために、使用者はまず瓶に水道水を溜める。その後、前記試験紙をサンプル瓶に完全に浸漬させて３０秒間待つ。次に、前記試験紙を前記水から取り出し、前記色表と並ぶように前記試験紙を配置させる。最後に、前記試験紙領域それぞれの色と前記表の対応部分を互いに比較する。
【０００６】
問題のレベルを表す数字は下線が引かれており、また前記表上の残りの数字とは異なる色（例えば、赤色）で印刷されることもできる。また、前記問題点に対する解決策が所定の解決表が提供されることもでき、例えば、異なる浄水フィルタなどを参照することもできる。前記色表に一致する前記試験紙に対する要求は、このようなシステムを相対的に操作が複雑になるようにし、慣れない使用者による誤解、または他のエラーが発生するようになる。また、前記セットの各部分すべてが、テストが可能なように準備される必要がある。本技術分野において公知である水の測色テストのための他の方法は、前記水サンプルに反応物を挿入して前記水内部で反応するようにし、前記水を変色させた後、前記水の色と基準色表を比較する。
【０００７】
アメリカ合衆国特許第３，３８１，５７２号トウィナ（Ｔｕｗｉｎｅｒ）の『色相テスト装置』は、化学物質の濃度またはｐＨといった特性のレベルを量的に判定するための装置を示す。前記装置は、前記テストサンプルのための容器に隣接する光学色指数ユニットを含む。
【０００８】
前記指数ユニットの色は、テストされる特性の他のレベルでのテストサンプルの変色に対応して、一端から他端まで徐々に変わる。前記指数ユニットにはまた前記対応するレベルを表す数字が印刷されている。テストを遂行するために、使用者は、サンプルを色指示反応液とともに前記容器内に挿入し、前記サンプルの変色を前記指数ユニット色表と比較する。
【０００９】
アメリカ合衆国特許第４，１２５，３７６号ラズリ（Ｒａｚｕｌｉｓ）の『水質汚染物質を検出するための方法』は、水中の化学物質を確認するための方法を示す。
【００１０】
前記装置は、透明容器を用いるが、その内部に発泡ウレタン立方体が配置されており、前記立方体を密閉するための栓を備える。前記発泡ウレタン立方体は、特定位置検出化学物質が注入されている。前記化学物質は、テスト水サンプル内の特定汚染物質に露出される際、色指示（ｃｏｌｏｒｉｍｅｔｒｉｃ  ｉｎｄｉｃａｔｉｏｎ）を生成する。前記方法は、前記容器に水を注いで前記容器を栓で覆った後、これを振動させることによって遂行される。その後、変色した色を前記特定汚染物質に対する色比較表と比較する。
【００１１】
アメリカ合衆国特許第４，１８０，００９号ボス（Ｖｏｓｓ  ｅｔ  ａｌ．）の『イオン濃度テスト装置』は、プール水中の多数のイオン濃度を判定するための装置を示す。前記装置は、２個の測定容器、基準容器および表示スクリーンとを含む。前記測定容器および基準容器は、共通壁によって一側面が結合されている。前記表示スクリーンは前記共通壁前側に位置し、前記測定容器と関連する複数の表示窓および前記基準容器と関連する複数の表示窓を含む。前記測定容器および前記基準容器は、行に配列されており、それぞれは正方形または長方形の断面を有する。前記表示窓は、前記測定容器および前記基準容器の高さ全体にわたり分布する。前記基準容器と関連する前記表示窓のそれぞれは、所定のイオン濃度に対応する基準または標準配色を有する。前記表示窓は透明である。
【００１２】
前記表示スクリーンは、前記測定容器と関連する前記表示窓に隣接する複数の標識をさらに含む。各標識の値は、前記基準容器と関連するそれぞれの表示窓と関連する。使用者は、前記測定容器を水で満たし、それぞれの測定容器内にテストされる特定イオン濃度に沿って互いに異なる色形成反応物を挿入する。前記色形成反応物は溶解され、各測定容器内の水が前記イオン濃度に対応する色を帯びるようにする。使用者は、測定容器と関連する前記表示窓を介して観察された水の色と、前記基準容器と関連する前記表示窓のそれぞれの基準配色と比較する。使用者は、この比較結果によって確認できる前記基準配色に対応する前記標識の値を読み、前記イオン濃度を判定する。
【００１３】
ドイツ・ダルムシュタット所在のマークケーガーエー（Ｍｅｒｃｋ  ＫＧａＡ）は、水、埋め立て地および地中の物質濃度を判定するための第１方法を開示する。
【００１４】
前記第１方法によると、使用者は、溶液サンプルに溶液反応剤を添加して前記溶液が色を帯びるようにする。前記物質濃度は、前記溶液の色に従って光度計によって測定される。マークケーガーエーは、溶液をテストするための第２方法を開示する。前記第２方法によると、使用者は試験紙を前記溶液中に浸漬させる。所定の反応時間が経過した後、使用者は、反応領域の色とパッケージ上の色表と比較し、濃度を判定する。
【００１５】
マークケーガーエーは、溶液内の物質濃度または特性を判定するためのシステムを開示する。前記システムは、電子装置、複数の試験紙およびバーコードを含む。前記試験紙のそれぞれは、溶液内の選択された物質濃度または選択された特性をテストするように設計されている。前記バーコードは、前記選択された物質または選択された特性それぞれの情報を含む。使用者は、前記電子装置にバーコードが通過するようにすることによって、前記電子装置を調整する。その後、使用者は前記溶液内に試験紙を浸漬させ、これによって反応が前記試験紙に色を帯びるようにする。使用者は、前記電子装置に前記試験紙を通過させ、前記電子装置によって前記濃度または特性値が判定されてディスプレイ上にこの値が表示される。
【００１６】
アメリカコロラド所在のハッチカンパニー（Ｈａｃｈ  Ｃｏｍｐａｎｙ）は、サンプル内の特性の濃度を決定するための測色方法を開示する。使用者は、前記サンプルに反応物質を添加して前記サンプルが色を帯びるようにする。使用者は、前記サンプルの色と、試験紙、色立方体、色ディスク、比色計または分光器を比較して濃度を判定する。ハッチは、特性の濃度を判定するための電気化学方法を開示する。
【００１７】
前記電気化学方法によると、特性の存在または不在は、サンプルの電気的活動性を測定することによって判定される。ハッチは、物質濃度を判定するための滴定方法を開示する。
【００１８】
前記滴定方法に従って、使用者は、前記サンプルの色が変化するまで前記サンプルに反応物を注入する。使用者は、注入された前記反応物の容積を測定することによって（例えば、点眼器から注入された前記反応物の液滴をカウントすることによって、またはデジタル滴定装置の判読によって）濃度を判定する。
【発明の開示】
【発明が解決しようとする課題】
【００１９】
本発明の目的は、流体の特性を判定するための新しい方法およびシステムを提供することにある。
【課題を解決するための手段】
【００２０】
本発明によると、複数の流体特性それぞれの値を判定するための流体テスト装置が提供される。前記流体テスト装置は、平面ベースおよび前記平面ベース上に位置する複数のテスト領域を含む。前記テスト領域それぞれは、テストサブ領域および前記テストサブ領域に隣接して位置する基準領域を含む。テストサブ領域それぞれは、反応物と前記流体の反応の結果として、前記値に沿って色を表す。前記基準領域は、複数の互いに異なる基準色を含む。
【００２１】
本発明の他の態様によると、複数の流体特性それぞれの値を判定するための流体テスト装置が提供される。前記流体テスト装置は、容器、複数のテスト領域および複数の基準領域を含む。各容器は、少なくとも１つの透明部分を有する。前記テスト領域それぞれは、反応物と前記流体の反応の結果として、前記値に沿って色を表す。前記基準領域それぞれは、テスト領域ごとに隣接するように位置し、前記基準領域それぞれは、複数の互いに異なる基準色を含む。
【００２２】
本発明の更なる他の態様によると、複数の流体特性それぞれの値を判定するための流体テスト装置が提供される。前記流体テスト装置は、複数の容器、前記容器それぞれに対するテスト領域および前記テスト領域それぞれに対する基準領域を含む。各容器は、少なくとも１つの透明部分を有する。前記テスト領域それぞれは、反応物と前記流体の反応の結果として、前記値に沿って色を表す。前記基準領域それぞれは、テスト領域ごとに隣接するように位置し、ここで前記基準領域は、複数の互いに異なる基準色を含む。
【００２３】
本発明の他の態様によると、複数の流体特性それぞれの値を判定するための方法が提供される。前記方法は、平面ベース上に位置する複数のテスト領域を備え、前記テスト領域ごとの特性テスト物質を複数の基準色表とあらかじめ関連付ける段階を含む。前記方法は、特性テスト物質のテスト色と、前記複数の基準色表の互いに異なる色のうちの選択された１つを一致させ、一致させる段階の結果に従って前記値をそれぞれ判定する段階をさらに含む。
【００２４】
本発明の更なる他の態様によると、複数の流体特性値を判定するための方法が提供される。前記方法は、複数の容器それぞれの内部壁上にそれぞれ位置する複数のテスト領域を備え、前記テスト領域ごとの特性テスト物質を、複数の基準色表とあらかじめ関連付ける段階を含む。前記方法は、特性テスト物質のテスト色と、前記複数の基準色表の互いに異なる色のうちの選択された１つを一致させ、一致させる段階の結果に従って前記値をそれぞれ判定する段階をさらに含む。
【００２５】
本発明の更なる他の態様において、複数の流体特性それぞれの値を基準値と比較するための流体テスト装置が開示される。前記装置は、平面ベース、前記平面ベース上に位置する複数のテスト領域、前記テスト領域は、反応物と前記流体の反応の結果として、前記値に沿って色を表すテスト下部領域、前記テスト下部領域に隣接して位置する基準領域、前記基準領域は、前記基準値に対応する少なくとも１つの基準色を含む。前記基準値は最大許容値または最小許容値でありうる。前記基準値は、前記基準色に隣接して印刷される。前記テスト領域は、前記流体特性それぞれのラベルをさらに含むことができる。前記テスト下部領域は、反応物が注入される。前記基準領域は、下部領域が彩色された少なくとも２つの基準を含む。前記基準領域は限界線を含むことができる。
【００２６】
本発明の他の態様において、複数の流体特性それぞれの値を複数の基準値と比較するための方法が開示される。前記方法は、平面ベース上に位置する複数のテスト領域を備え、少なくとも１つの基準色を含む基準色表からの色と、テスト領域それぞれの特性テスト物質をあらかじめ関連付け、当該特性テスト物質のテスト色を獲得するために前記流体内に前記平面ベースを浸漬させ、かつ前記特性テスト物質の前記テスト色と前記少なくとも１つの基準色を比較する段階を含む。前記方法は、前記基準色表が最大許容値または最小許容値を含む段階をさらに含む。
【００２７】
本発明の他の態様によると、少なくとも１つの流体特性値を判定するための流体テスト装置が開示される。前記装置は、平面ベース、および前記平面ベース上に位置する複数のテスト領域を含む。前記テスト領域それぞれは、反応物と前記流体の反応の結果として、前記値に沿って色を表すテスト下部領域、および前記テスト下部領域に隣接して位置する基準領域を含む。前記基準領域は、少なくとも１つの基準色を含む。前記テスト領域は、前記流体特性それぞれのラベルをさらに含むことができる。前記テスト下部領域は、反応物が注入される。前記少なくとも１つの特性は、前記流体内の物質濃度でありうる。前記テスト領域は、領域を表す値をさらに含むが、前記領域を表す値は、少なくとも１つの数字を含むことができる。前記１つの数字は、前記少なくとも１つの基準色それぞれに隣接して位置し、前記少なくとも１つの数字は、前記流体特性の選択された値を代表することができる。
【発明を実施するための最良の形態】
【００２８】
本発明は、以下の図面および詳細な説明から充分に理解することができる。
本発明は、複数のテスト物質との反応の結果、流体の色が変色したテスト媒体を提供し、使用者が結果色それぞれを個別色指数に一致させることによって、前記流体の各特性を判定することで、従来技術の問題点を克服する。テスト領域および基準色表の一連の関連する対は、例えばカード上に、並べて配置することができる。ここで、使用者は、前記カードを前記流体内に浸漬させて前記テスト領域と前記基準色表を一致させることによって、前記流体内の互いに異なる物質の濃度を判定する。ここで、前記選択された物質と前記流体との反応は、使用者により前記流体内の選択された他の物質の濃度を判定できるようにする。
【００２９】
図１Ａ、１Ｂ、および１Ｃを参照して説明する。図１Ａは、本発明の第１実施例に従って構成され、操作可能な流体テスト装置１００の概略図である。図１Ｂは、流体内に浸漬させた図１Ａの前記流体テスト装置の概略図である。図１Ｃは、前記流体テスト装置を前記流体内に浸漬後、テスト領域の色が変色した、図１Ａの前記流体テスト装置の概略図である。
【００３０】
図１Ａを参照すると、流体テスト装置１００は、複数のテスト領域１０２１、１０２２、１０２３、１０２４、１０２５および１０２Ｎを含む。テスト領域１０２１、１０２２、１０２３、１０２４、１０２５および１０２Ｎそれぞれは、ラベル領域１０４１、１０４２、１０４３、１０４４、１０４５および１０４Ｎ、基準色表１０６１、１０６２、１０６３、１０６４、１０６５および１０６Ｎ、およびテスト下部領域１０８１、１０８２、１０８３、１０８４、１０８５および１０８Ｎを含む。基準色表それぞれは、複数の基準着色下部領域をさらに含み、それぞれは互いに異なる色を表す。例えば、基準色表１０６Ｎは、基準着色下部領域１０６Ｎ，１、１０６Ｎ，２、１０６Ｎ，３、１０６Ｎ，４および１０６Ｎ，Ｎを含み、これらは青色の互いに異なる色調を表す。図１Ａに図示された例に従って、基準色表１０６１、１０６２、１０６３、１０６４、および１０６５それぞれは、茶色、黄色、緑色、青緑色、および紫色の互いに異なる色調を表す基準着色下部領域を含む。
【００３１】
一般的に、色は色相（例えば、青色、緑色、赤色、黄色など）、彩度レベルおよび光度レベルによって定義される。前記彩度レベルは、特定色相の濃度を定義する。前記光度レベルは、前記色相の明度または暗度を定義する。例えば、黄色油性ペイントは、アマニ油およびクロム酸鉛の混合物からなる。前記アマニ油は、前記ペイントを流動的させ、前記クロム酸鉛は、前記油性ペイントが黄色を帯びるようにする。前記黄色油性ペイントの彩度レベルは、所定の量のアマニ油に対するクロム酸鉛の量によって定義される。前記黄色油性ペイントの光度レベルは、前記所定の量のアマニ油に対する（明るさのための）鉛白および（暗さのための）木炭の量によって定義される。
所定のテスト領域内の前記基準着色下部領域のうちのすべてまたはいくつかは、互いに異なる色相（例えば、青色、緑色、黄色など）を表すことができる。また、すべての所定のテスト領域内の前記基準着色下部領域は、同一の色相を表すことができるが、それぞれは互いに異なる彩度レベル、光度レベルまたはこの２つのいずれも有する（例えば、所定のテスト領域内の前記基準着色下部領域それぞれは、赤色の互いに異なる色調を有する）。
【００３２】
ラベル領域１０４１、１０４２、１０４３、１０４４、１０４５および１０４Ｎそれぞれは、前記流体内の物質または前記流体の特性を示し、その濃度は、それぞれのテスト下部領域の色と、各基準色表の前記基準着色下部領域のうちの１つの色を一致させることによって判定することができる。図１Ａに図示された例において、テスト領域１０２１は、水のｐＨをテストするように構成され、テスト領域１０２２、１０２３、１０２４、１０２５および１０２Ｎそれぞれは、水中の硝酸塩（ＮＯ３）、鉛（Ｐｂ）、亜鉛（Ｚｎ）、大膓菌（Ｅ．Ｃｏｌｉ）、およびナトリウム（Ｎａ）をテストするように構成されている。沈澱、一般的または特定バクテリアの存在、および硫化水素および二酸化窒素（ＮＯ２）も判定することができる。さらに、空気、液体燃料、原油、など他の流体内の他の物質に対する他のテストも、本発明によってカードに印刷できる。
【００３３】
流体テスト装置１００は、前記流体に浸漬させた後も実質的に安定的に維持される物質からつくられる。このような目的のために、流体テスト装置１００は、軟質ポリマ、硬質ポリマ、硝子、紙、プラスチックでコーティングされた紙、ボール紙、木材、粘土、セラミック、石材、皮革、織物、金属、合成物質などからつくることができる。流体テスト装置１００は、長方形、正方形、三角形、菱形、平行四辺形、台形、四辺形、円形、環形、楕円形、円の一部分、自由形状の閉曲線などの形からなる実質的に薄いシートである。幾何学的に、前記薄いシートは、平坦または湾曲した（すなわち、ロール状、折り曲げられている、ねじれている、凸状または凹状など）面である。
【００３４】
テスト下部領域それぞれは、テスト物質が注入されている。前記テスト物質と前記流体の反応は、前記テスト下部領域の色を変色させ、前記テスト下部領域の新しい色が、前記流体内から選択された物質の濃度または前記テスト用流体の選択された特性の濃度を示す。
【００３５】
図１Ｂを参照すると、容器１１０は、テストされる流体１１２を収容する。使用者１１４は、流体テスト装置１００を前記流体１１２に浸漬させ、前記テスト下部領域１０８１、１０８２、１０８３、１０８４、１０８５および１０８Ｎそれぞれのテスト物質が前記流体と反応するのを待つ。
【００３６】
図１Ｃを参照すると、基準着色下部領域１０６１，１、１０６１，２、１０６１，３、１０６１，４、および１０６１，Ｎは、それぞれ９、８、７、６、および５のｐＨレベルを表す。基準着色下部領域１０６２、１、１０６２、２、１０６２、３、１０６２、４、および１０６２、Ｎは、それぞれ１４、１２、１０、８および６ｍｇ／ｌの硝酸塩濃度を表す。基準着色下部領域１０６Ｎ，１、１０６Ｎ，２、１０６Ｎ，３、１０６Ｎ，４、および１０６Ｎ，Ｎは、それぞれ１６、１５、１４、１３、および１２ｍｇ／ｌのナトリウム濃度を表す。
【００３７】
以下の説明において、流体１１２は水である。テスト下部領域１０８１に注入された前記テスト物質と流体１１２が反応すると、テスト下部領域１０８１の色は、流体１１２のｐＨレベルに対応する色相に変色する。テスト下部領域１０８２に注入された前記テスト物質と流体１１２が反応すると、テスト下部領域１０８２の色は、流体１１２の硝酸塩レベルに対応する色相に変色する。テスト下部領域１０８Ｎに注入された前記テスト物質と流体１１２が反応すると、テスト下部領域１０８Ｎの色は、流体１１２のナトリウムレベルに対応する色相に変色する。使用者１１４は、前記テスト下部領域の色と、前記それぞれの基準色表の前記基準着色下部領域のうちの１つの色を一致させることによって、水中の選択された物質の濃度を判定する。前記一致プロセスは、使用者が前記テスト下部領域を前記基準着色下部領域と並べる必要のない簡単な操作である。
【００３８】
例えば、使用者１１４は、テスト下部領域１０８１の色と、基準着色下部領域１０６１，１、１０６１，２、１０６１，３、１０６１，４、および１０６１，Ｎ、を比較し、テスト下部領域１０８１の色が基準着色下部領域１０６１、３の色と実質的に類似していると判定する。したがって、使用者１１４は、流体１１２のｐＨが７であると判定する。使用者１１４は、テスト下部領域１０８２の色と、基準着色下部領域１０６２，１、１０６２，２、１０６２，３、１０６２，４、および１０６２，Ｎを比較し、テスト下部領域１０８２の色が基準着色下部領域１０６２、４の色と実質的に類似していると判定する。したがって、使用者１１４は、流体１１２の硝酸塩濃度が８ｍｇ／ｌであると判定する。使用者１１４は、テスト下部領域１０８Ｎの色と、基準着色下部領域１０６Ｎ，１、１０６Ｎ，２、１０６Ｎ，３、１０６Ｎ，４、および１０６Ｎ，Ｎを比較し、テスト下部領域１０８Ｎの色が基準着色下部領域１０６Ｎ、１の色と実質的に類似していると判定する。したがって、使用者１１４は、流体１１２のナトリウム濃度が１６ｍｇ／ｌであると判定する。より多くのテスト領域１０２１、１０２２および１０２Ｎが、流体テスト装置１００につくられる。これによって、より多くの前記流体内の物質濃度および特性を同時にテストできるようになる。本発明は、流体の複数の特性を判定することに限定されない。したがって、反応物と流体の反応の結果として、テストされる特性値に沿って色を表すテスト下部領域、およびテスト下部領域に隣接して位置し、かつ１つまたはそれ以上の色を含むことができる基準色表を含む、ただ１つのテスト領域を含む流体テスト装置を提供することもまた本発明の範囲内にある。前記流体テスト装置は、図７に図示されるように、１つまたはそれ以上の特性値が流体テスト装置で判定される際に表れる１つまたはそれ以上の基準色を含む基準領域に隣接し、１つまたはそれ以上の特性値を含む値表示領域をさらに含むことができる。
【００３９】
図８Ａは平面ベース流体テスト装置５２０を表す。図８Ａに図示された実施例によると、流体テスト装置５２０は、複数のテスト領域５２８１、５２８２、５２８３、５２８４、および５２８５を含む。テスト領域５２８１、５２８２、５２８３、５２８４、および５２８５は、ラベル領域５２２１、５２２２、５２２３、５２２４、および５２２５、基準色表５２６１、５２６２、５２６３、５２６４、および５２６５、およびテスト下部領域５２４１、５２４２、５２４３、５２４４、および５２４５を含む。流体テスト装置５２０は、前記装置がテスト用水に浸漬されるとき、使用者が掴むホールディング部５３０を有する。ラベル５２２１、５２２２、５２２３、５２２４、および５２２５それぞれは、テストされる物質または反応物を示す。これによって、前記流体テスト装置５２０は、テスト用液体の特性を表す。図８Ａに図示された実施例によって、流体テスト装置５２０は、テスト下部領域５２８１、５２８２、５２８３、５２８４、および５２８５それぞれに対してただ１つの色を有する基準色表５２６１、５２６２、５２６３、５２６４、および５２６５を含む。この色は、例えば、前記テストされる物質の最大許容値に対応することができる。したがって、流体テスト装置５２０は、流体内の物質濃度および特性を同時に判定することができる。流体テスト装置５２０を用いる使用者（図示せず）は、基準テスト下部領域５２４１、５２４２、５２４３、５２４４、および５２４５の色と、基準色表５２６１、５２６２、５２６３、５２６４、および５２６５をそれぞれ比較することができる。当業者は、前記流体テスト装置５２０によって、互いに異なる反応物および物質の濃度および存在をテストできることが理解できる。さらに、テスト領域の数字は、図８Ａに図示された数字に限らず、図示された数より少なくまたは多くなる。本実施例の一例に従って、基準色表５２６５よりテスト下部領域５２４５の色相がより暗いということは、許容されるものより鉄（Ｆｅ）濃度が高いことを示す。同様に、他の例に従って、基準色表５２６５よりテスト下部領域５２４５で得られた色相がより明るい、または基準色表５２６５範囲と同一の色を帯びるということは、許容されるＦｅ濃度を示すものである。テスト下部領域５２４１、５２４２、５２４３、５２４４、および５２４５と、基準色表５２６１、５２６２、５２６３、５２６４、および５２６５それぞれとの差異は、前記実施例に従ってテスト下部領域と基準色表の間に引かれた線によって明確に示すことができる。当業者は、流体テスト装置を用いて流体内の他の物質の他の濃度がテストされるとき、より明るい色相は容認されない濃度を示すことが理解できる。よって、本実施例による前記基準色表の色相は、境界濃度、例えば最大許容値に対応し、比較はテストされる水中の前記濃度がこの値以上であるか以下であるかを表す。
【００４０】
図８Ｂは、本発明の他の実施例に従って構成され、操作可能な流体テスト装置５４０の概略図である。流体テスト装置５４０は、前記テストされる液体から前記装置を挿入または除去するとき、使用者が掴むホールディング部５５４を有する。流体テスト装置５４０は、複数のテスト領域５４２１、５４２２、５４２３、および５４２４を含む。テスト領域５４２１、５４２２、５４２３、および５４２４は、ラベル領域５４４１、５４４２、５４４３、および５４４４、およびテスト下部領域５４６１、５４６２、５４６３、および５４６４を含む。本実施例によると、テスト領域５４２１、５４２２、５４２３、および５４２４内それぞれの基準色表は、２つまたはそれ以上の基準着色下部領域を有する。したがって、テスト下部領域５４２１は、基準着色下部領域５４８１、５５２、および５５０１を含み、テスト下部領域５４２２は、基準着色下部領域５４８２、および５５０２を含み、テスト下部領域５４２３は、基準着色下部領域５４８３、および５５０３を含み、またテスト下部領域５４２４は、基準着色下部領域５４８４、および５５０４を含む。流体テスト装置５４０をテストされる液体内に挿入すると、本実施例に従ってＣl（自由塩素）の濃度が許容範囲にあるかどうか、したがって使用できるかどうか（例えば、前記テストされる液体が水であれば、前記水を使用できるかどうか）を示す。同様に、流体テスト装置５４０は、前記液体（例えば水）の硬度、ＮＯ３（硝酸塩）およびＦｅ（鉄）の濃度が使用できるかどうかを示すことができる。ライン５５６１、５５６２、５５６３、および５５６４は、テスト下部領域５４２１、５４２２、５４２３、および５４２４内の境界線をそれぞれ示す。前記境界線は、反応物の濃度および液体内にあるテスト物質の前記許容可能および許容不可値間を区分する許容可能な色限界を示す。したがって、一例により、前記基準テスト下部領域５４６１、５４６２、５４６３、および５４６４の色相は、各テスト領域内部の基準色表と比較される。一例により、境界線５５６４上に位置する基準着色下部領域５４８４内の色相は、前記テストされる液体内の鉄の許容不可値を示し、境界線５５６４下に位置する基準着色下部領域５５０４内の色相は、前記テストされる液体内の鉄の許容可能値を示す。テストされる溶液内に流体テスト装置５４０を挿入した後、基準テスト下部領域５４６４で得られた色は、基準着色下部領域５４８４および５５０４と比較される。前記例によると、基準テスト下部領域５４６４で得られた色が基準着色下部領域５４８４および５５０４のうちのいずれか１つと同一であれば、鉄の濃度および濃度の判定は、前記下部領域との単純比較および境界線５５６４の使用によって遂行される。基準テスト下部領域５４６４で得られた色が、基準着色下部領域５４８４および５５０４のうちのいずれか１つと異なれば、前記基準テスト下部領域の色相は、基準着色下部領域５４８４および５５０４と比較される。したがって、テスト下部領域５４６４内の前記色が基準色表５４８４より暗ければ、前記テストされる液体内の鉄濃度は許容不可である。同様に、テスト下部領域５４６４内の前記色が基準色表５５０４より明るければ、前記テストさ��る液体内の鉄濃度は許容可能である。図示された実施例に従って、基準下部領域５４８４および５５０４によって表される鉄濃度は、基準着色下部領域に隣接する５５８１および５５８２を示す。従って、テスト下部領域５４６４上の前記色が基準着色下部領域５４８４または５５０４と同一であれば、使用者は、テストされる液体内の鉄濃度を判定することができる。本実施例によって、使用者は、前記液体内のイオン濃度を判定するだけでなく、テストされる溶液内の鉄の濃度が許容可能かどうかを判定することができる。他の実施例によって、他のテスト領域内の基質および他の反応物の濃度は、基準色表側面に示すことができる。当業者は、他の実施例によって、反応物および基質の同一の濃度それぞれをテストするためのテスト領域は、図８Ａに図示されるように、１つの基準着色下部領域または複数の基準色表を含むことができることを理解することができる。したがって、流体テスト装置は、１つの基準着色下部領域、テストされる液体内の所望の反応物および基質の濃度および存在をテストするための２、３、または他の複数の基準色表を含むことができるテスト領域を含むことができる。
【００４１】
図２Ａおよび２Ｂを参照して説明する。図２Ａは、本発明の他の実施例に従って構成されて操作可能な容器セット１５０の概略図である。図２Ｂは、流体と各容器の前記テスト下部領域のテスト物質との反応後の、図２Ａの容器の概略図である。
【００４２】
容器セット１５０は、複数の容器１５２１、１５２２、１５２３、１５２４、１５２５、および１５２Ｎを含む。容器１５２１、１５２２、１５２３、１５２４、１５２５、および１５２Ｎそれぞれは、分離して構成され、接着剤、少なくとも１つのファスナ、溶接などによって互いに結合される。また、容器１５２１、１５２２、１５２３、１５２４、１５２５、および１５２Ｎは、単一本体内に分離されている空間として構成される。
【００４３】
容器１５２１、１５２２、１５２３、１５２４、１５２５、および１５２Ｎは、基準色表１５４１、１５４２、１５４３、１５４４、１５４５、および１５４Ｎおよびテスト下部領域１５６１、１５６２、１５６３、１５６４、１５６５、および１５６Ｎそれぞれを含む。既存色表それぞれは、それぞれが互いに異なる色を有する複数の基準着色下部領域をさらに含む。例えば、基準色表１５４Ｎは、青色の互いに異なる色調を有する基準着色下部領域１５４Ｎ，１、１５４Ｎ，２、１５４Ｎ，３、１５４Ｎ，４、および１５４Ｎ，Ｎを含む。図２Ａに図示された例に従って、基準色表１５４１、１５４２、１５４３、１５４４、および１５４Ｎは、それぞれ茶色、黄色、緑色、青緑色、紫色および青色の互いに異なる色調を有する基準着色下部領域を含む。前記テスト下部領域１５６１、１５６２、１５６３、１５６４、１５６５、および１５６Ｎそれぞれは、流体内の選択された物質の濃度または流体の選択された特性値を判定するために選択されたテスト物質が注入される。
【００４４】
各容器１５２１、１５２２、１５２３、１５２４、１５２５、および１５２Ｎの一端は、使用者が前記容器に前記流体を入れるために、完全または部分的に開放される。容器１５２１、１５２２、１５２３、１５２４、１５２５、および１５２Ｎそれぞれは、前記テスト物質と前記流体間の反応を起こすために、使用者が前記容器を振動させるように、栓（図示せず）によって閉鎖することができる。また、容器１５２１、１５２２、１５２３、１５２４、１５２５、および１５２Ｎの栓は、単一本体の部分である。
【００４５】
テスト下部領域１５６１、１５６２、１５６３、１５６４、１５６５、および１５６Ｎは、容器１５２１、１５２２、１５２３、１５２４、１５２５、および１５２Ｎそれぞれの内部壁に固定されている透明帯である。テスト下部領域１５６１、１５６２、１５６３、１５６４、１５６５、および１５６Ｎ、基準色表１５４１、１５４２、１５４３、１５４４、１５４５、及び１５４Ｎに隣接して設けられている。
【００４６】
１５２１、１５２２、１５２３、１５２４、１５２５、及び１５２Ｎそれぞれの横断面または縦断面は、可変的または一定でありうる。この断面は、長方形、正方形、三角形、菱形、平行四辺形、台形、四辺形、円形、環形、楕円形、円の一部分、自由形状の閉曲線などの形式である。
【００４７】
容器１５２１、１５２２、１５２３、１５２４、１５２５、および１５２Ｎそれぞれは、少なくとも１つの透明部分を有する高分子物質、硝子、木材、粘土、セラミック、石材、金属などからつくられる。前記容器が不透明であれば、その際テスト領域を覆う容器の部分は、透明特性によって強化、または透明物質からつくられる。したがって、使用者は、テスト下部領域の色と基準着色下部領域それぞれの色を比較することができる。
【００４８】
テスト下部領域の前記テスト物質が前記流体と反応するとき、前記テスト下部領域の色は、各基準色表内の前記基準着色下部領域のうち１つの色と実質的に類似するように変色する。このとき、使用者は、前記テスト下部領域の新しい色と前記基準着色下部領域のうちの１つの色を一致させることによって、前記流体の選択された特性値または前記流体の選択された物質の濃度を判定する。
【００４９】
図２Ｂを参照すると、容器１５２２、１５２３、および１５２Ｎは、基準色表１５４２、１５４３、および１５４Ｎをそれぞれ含む。基準色表１５４２は、基準着色下部領域１５４２，１、１５４２，２、１５４２，３、１５４２，４および１５４２，Ｎを含む。基準色表１５４３は、基準着色下部領域１５４３，１、１５４３，２、１５４３，３、１５４３，４および１５４３，Ｎを含む。基準色表１５４Ｎは、基準着色下部領域１５４Ｎ，１、１５４Ｎ，２、１５４Ｎ，３、１５４Ｎ，４および１５４Ｎ，Ｎを含む。
【００５０】
テストされる流体は、容器１５２２、１５２３、および１５２Ｎに注がれる。テスト下部領域１５６２、１５６３、および１５６Ｎにある前記テスト物質は、前記流体と反応し、前記各容器内のテスト下部領域１５６２、１５６３、および１５６Ｎそれぞれの色は、前記各基準色表内の前記基準着色下部領域のうちの１つの色に変色する。図２Ｂに図示される例において、容器１５２２は、前記流体の硝酸塩濃度をテストするように設計されている。使用者は、テスト下部領域１５６２の色と基準着色下部領域１５４２，２を一致させ、前記流体内の硝酸塩濃度が１２ｍｇ／ｌであると判定する。
【００５１】
容器１５２３は、例えば、前記流体内の鉛濃度をテストするように設計されている。基準着色下部領域１５４３，１、１５４３，２、１５４３，３、１５４３，４および１５４３，Ｎは、前記流体内の鉛濃度０．０１２２、０．０１２４、０．０１２６、０．０１２８、および０．０１３０ｍｇ／ｌにそれぞれ指定される。使用者は、テスト下部領域１５６３の色と基準着色下部領域１５４３，４を一致させ、前記流体内の鉛濃度が０．０１２８ｍｇ／ｌであると判定する。
【００５２】
容器１５２Ｎは、前記流体内のナトリウム濃度をテストするように設計されている。使用者は、テスト下部領域１５６Ｎの色と基準着色下部領域１５４Ｎ、１を一致させ、前記流体内のナトリウム濃度が１６ｍｇ／ｌであると判定する。
【００５３】
本発明のまた他の実施例に従って操作可能な、流体の量的特性を判定するための方法の概略図である図３を参照して説明する。段階３００において、複数のテスト領域は、平面ベースに設けられる。図１Ａを参照すると、テスト領域１０２１、１０２２、１０２３、１０２４、１０２５および１０２Ｎは、テストカード１００に設けられる。
【００５４】
段階３０２において、複数の基準色表は、前記テスト領域それぞれにある特性テスト物質にあらかじめ関連づけられる。ここで、互いに異なる色それぞれは、テストされる流体のテスト特性の互いに異なる値に指定される。図１Ａを参照すると、流体テスト装置１００の基準色表１０６１、１０６２、１０６３、１０６４、１０６５および１０６Ｎは、テスト下部領域１０８１、１０８２、１０８３、１０８４、１０８５および１０８Ｎそれぞれに隣接して配置される。テスト下部領域１０８１、１０８２、１０８３、１０８４、１０８５および１０８Ｎそれぞれは、流体内の他の物質のレベルをテストするために、選択されたテスト物質を含む。例えば、基準色表１０６Ｎは、テスト下部領域１０８Ｎに隣接して配置される。基準色表１０６Ｎは、基準着色下部領域１０６Ｎ，１、１０６Ｎ，２、１０６Ｎ，３、１０６Ｎ，４および１０６Ｎ，Ｎによって図示されるように、互いに異なる色調を有する青色に着色されている。基準色表１０６Ｎは、ナトリウム濃度を判定するために採用され、前記基準着色下部領域１０６Ｎ，１、１０６Ｎ，２、１０６Ｎ，３、１０６Ｎ，４および１０６Ｎ，Ｎそれぞれは、前記流体内の互いに異なるナトリウム濃度を指定する。
【００５５】
段階３０４において、平面ベースにある前記テスト領域は、テストされる前記流体に接触することにより、前記流体と前記特性テスト物質との反応結果として、特性テスト物質の色が新しいテスト色に変色する。図１Ａおよび図１Ｂを参照すると、流体テスト装置１００は流体１１２に浸漬され、これによって流体１１２はテスト下部領域１０８Ｎに含まれた前記テスト物質と反応し、テスト下部領域１０８Ｎの色（およびテスト下部領域１０８Ｎに吸収された前記流体）は、新しい色に変色する。
【００５６】
段階３０６において、前記新しいテスト色は、前記互いに異なる色のうち選択された１つと一致させる。図１Ｃを参照すると、使用者は、テスト下部領域１０８Ｎの前記色を基準着色下部領域１０６Ｎ、１に一致させる。
【００５７】
段階３０８において、前記一致した色によって、前記互いに異なる値のうち選択された１つが判定される。図１Ｃを参照すると、使用者は、前記流体内のナトリウム濃度（すなわち、テストされる特性）が１６ｍｇ／ｌであると判定する。
【００５８】
本発明の他の実施例に従って構成され、操作可能な流体テスト装置３５０の概略図である図４を参照して説明する。流体テスト装置３５０は、複数のテスト領域３５２１、３５２２、および３５２Ｎを含む。テスト領域３５２１は、ラベル領域３５４１、基準色表３５６１およびテスト下部領域３５８１を含む。基準色表３５６１は、複数の基準着色下部領域３５６１，１、３５６１，２、３５６１，３、３５６１，４および３５６１，Ｎおよび境界線３６０１を含む。
【００５９】
テスト領域３５２２は、ラベル領域３５４２、基準色表３５６２およびテスト下部領域３５８２を含む。基準色表３５６２は、複数の基準着色下部領域３５６２，１、３５６２，２、３５６２，３、３５６２，４および３５６２，Ｎおよび境界線３６０２を含む。テスト領域３５２Ｎは、ラベル領域３５４Ｎ、基準色表３５６Ｎおよびテスト下部領域３５８Ｎを含む。基準色表３５６Ｎは、複数の基準着色下部領域３５６Ｎ，１、３５６Ｎ，２、３５６Ｎ，３、３５６Ｎ，４および３５６Ｎ，Ｎおよび境界線３６０Ｎを含む。
【００６０】
境界線３６０１は、基準着色下部領域３５６１，３および３５６１，４間に位置する。境界線３６０２は、基準着色下部領域３５６２，２および３５６２，３間に位置する。境界線３６０Ｎは、基準着色下部領域３５６Ｎ，３および３５６Ｎ，４間に位置する。
【００６１】
各境界線は、テスト下部領域の色が前記境界線下に位置する基準着色下部領域のうちの１つの色と一致すると、そのときテストされる流体は、前記テストされる特性に従って使用不可であることを使用者に示す。例えば、テスト領域３５２１は、前記流体のｐＨレベルをテストするために採用され、前記流体に流体テスト装置３５０を浸漬させた後のテスト下部領域３５８１の色が基準着色下部領域３５６１，４または３５６１，Ｎの色と一致すると、使用者は、この２つの場合において、ｐＨは許容限界以下であり、前記流体は使用不可であると判定する。
【００６２】
また、前記境界線は、テスト下部領域の色が前記境界線上に位置する基準着色下部領域のうちの１つの色と一致すると、そのときテストされる流体は、前記テストされる特性に従って使用不可であることを使用者に示す。例えば、テスト領域３５２２は、前記流体のナトリウム濃度をテストするために採用され、前記流体に流体テスト装置３５０を浸漬させた後のテスト下部領域３５８２の色が基準着色下部領域３５６２，１または３５６２，２の色に一致すると、使用者は、この２つの場合において、前記ナトリウム濃度は許容限界を超過するため、前記流体は使用不可であると判定する。
【００６３】
図５Ａおよび５Ｂを参照して説明する。図５Ａは、本発明のまた他の実施例に従って構成され、操作可能な容器４００の概略図である。図５Ｂは、流体を容器内に注いだ後、前記流体が互いに異なるテスト物質と反応した図５Ａの容器４００の概略図である。容器４００は、複数のラベル領域４０４１、４０４２、および４０４Ｎ、複数の基準色表４０６１、４０６２、および４０６Ｎ、および複数のテスト下部領域４０８１、４０８２、および４０８Ｎを含む。
【００６４】
基準色表４０６１は、複数の基準着色下部領域４０６１，１、４０６１，２、４０６１，３、４０６１，４および４０６１，Ｎを含む。基準色表４０６２は、複数の基準着色下部領域４０６２，１、４０６２，２、４０６２，３、４０６２，４および４０６２，Ｎを含む。基準色表４０６Ｎは、複数の基準着色下部領域４０６Ｎ，１、４０６Ｎ，２、４０６Ｎ，３、４０６Ｎ，４および４０６Ｎ，Ｎを含む。
【００６５】
ラベル領域４０４１、４０４２、および４０４Ｎそれぞれは、容器４００の内部壁、外部壁または容器４００の壁の間に印刷されている。また、前記ラベル領域４０４１、４０４２、および４０４Ｎそれぞれは、透明または不透明圧力感知テープの形で形成され、容器４００の内部壁または外部壁のうちのいずれか１つに接着されている。
【００６６】
基準色表４０６１、４０６２、および４０６Ｎは、ラベル領域４０４１、４０４２、および４０４Ｎそれぞれの下に位置する。前記基準色表４０６１、４０６２、および４０６Ｎそれぞれは、容器４００の内部壁、外部壁または容器４００の壁の間に印刷されている。また、前記基準色表４０６１、４０６２、および４０６Ｎそれぞれは、透明または不透明圧力感知テープの形で形成され、容器４００の内部壁または外部壁のうちのいずれか１つに接着されている。また、基準色表４０６１、４０６２、および４０６Ｎは、ラベル領域４０４１、４０４２、および４０４Ｎそれぞれの上側に位置する。
【００６７】
テスト下部領域４０８１、４０８２、および４０８Ｎそれぞれは、テスト物質が注入された透明帯である。ここで前記透明帯は、容器４００の内部壁に固定される。また、テスト下部領域４０８１、４０８２、および４０８Ｎそれぞれは、容器４００の内部壁に塗布された粉末状からなるテスト物質である。テスト下部領域４０８１、４０８２、および４０８Ｎは、基準色表４０６１、４０６２、および４０６それぞれの下側に位置する。また、テスト下部領域４０８１、４０８２、および４０８Ｎは、基準色表４０６１、４０６２、および４０６Ｎそれぞれに隣接して位置する。また、テスト下部領域４０８１、４０８２、および４０８Ｎは、基準色表４０６１、４０６２、および４０６Ｎそれぞれの上側に位置する。
【００６８】
図５Ｂを参照すると、容器４００に注がれた流体４０２は、テスト下部領域４０８１、４０８２、および４０８Ｎと反応し、その反応の結果として、前記テスト下部領域４０８１、４０８２、および４０８Ｎそれぞれの周辺にある流体４０２の色が変色する。このとき、使用者は、テスト下部領域４０８１、４０８２、および４０８Ｎ周辺にある流体４０２の色と基準色表４０６１、４０６２、および４０６Ｎそれぞれの前記基準着色下部領域のうちの１つの色を一致させることによって、それぞれの特性値または流体４０２内の物質の濃度を判定する。
【００６９】
流体テストを遂行した後、テスト下部領域４０８１、４０８２、および４０８Ｎを容器４００の内部壁から除去し、新しいテスト領域セットを容器４００の内部壁に採用できるが、これによって、使用者は、容器４００を再利用して新しい流体テストを遂行できるようになる。また、使用者は、テストを遂行した後、前記容器を処分して新しいテストを遂行するための他の容器を用いることができる。前記テスト下部領域それぞれは、境界線をさらに含む。これによって使用者は、反応後の流体の色が前記境界線の左側または右側のうちのいずれかに位置する前記基準着色下部領域のうちの１つの色と一致すると、前記テストされる流体が選択された特性に従って使用可能かどうかを判定することができる。
【００７０】
ラベル領域、基準色表それぞれ、およびテスト下部領域それぞれの相対的位置の互いに異なる組合せが選択されることができる。従って、前記の組合せ以外にも他の組合せが可能である。
【００７１】
図６Ａおよび図６Ｂを参照して説明する。図６Ａは、本発明のまた他の実施例に従って構成され、操作可能なテスト領域４２０の概略図である。図６Ｂは、流体と前記テスト下部領域のテスト物質との反応後の、図６Ａのテスト領域の概略図である。
【００７２】
図６Ａを参照すると、テスト領域４２０は、ラベル４２２、基準色表４２４、およびテスト下部領域４２６を含む。基準色表４２４は、複数の基準着色下部領域４２４１、４２４２、４２４３、４２４４、４２４５、および４２４６を含む。テスト領域４２０は、円形となる。ラベル４２２は、テスト領域４２０内部にある円形となる。基準色表４２４は、ラベル４２２周辺にある環形となる。基準着色下部領域４２４１、４２４２、４２４３、４２４４、４２４５、および４２４６それぞれは、基準色表４２４の環形部分である。
【００７３】
テスト下部領域４２６は、基準色表４２４を取り囲む環形となる。テスト下部領域４２６は、前記流体上の特性値または物質の濃度を判定するために選択されたテスト物質が注入されている。図６Ａに図示される例によって、テスト下部領域４２６は、塩素濃度を判定するためにテスト物質が注入されている。ラベル４２２、基準色表４２４およびテスト下部領域４２６の中心は、実質的に同一点に置かれている。
【００７４】
図６Ｂを参照すると、テスト下部領域４２６は、基準着色下部領域４２４２の色に一致する色を表す。したがって、使用者は、前記流体内の塩素濃度が、例えば、０．５ｍｇ／ｌであると判定する。長方形、楕円形、抽象的な形態、公知の商標など、いかなる幾何学的形態もテスト領域で用いられる。
【００７５】
本発明のまた他の実施例に従って構成され、操作可能な流体テスト装置５００の概略図である図７を参照して説明する。流体テスト装置５００は、複数のテスト領域５０２１、５０２２、５０２３、５０２４、５０２５、および５０２６を含む。テスト領域５０２１、５０２２、５０２３、５０２４、５０２５、および５０２６は、ラベル領域５０４１、５０４２、５０４３、５０４４、５０４５、および５０４６、基準色表５０６１、５０６２、５０６３、５０６４、５０６５、および５０６６、テスト下部領域５０８１、５０８２、５０８３、５０８４、５０８５、および５０８６、および値表示領域５１０１、５１０２、５１０３、５１０４、５１０５、および５１０６それぞれを含む。
【００７６】
基準色表それぞれは、そのそれぞれが互いに異なる色相を有する複数の基準着色下部領域をさらに含む。数字は、値表示領域それぞれに、基準着色下部領域それぞれに隣接して印刷される。流体テスト装置５００の材料および形態は、図１Ａと関連して前述したように、流体テスト装置１００と類似している。
【００７７】
テスト領域５０２１、５０２２、５０２３、５０２４、５０２５、および５０２６は、それぞれ鉄（Ｆｅ）、銅（Ｃｕ）、硝酸塩（ＮＯ３）、塩素（Ｃｌ）の濃度、硬度、および水のｐＨをテストするように設計されている。各値表示領域内の数字は、前記テストされる水の各特性の互いに異なる値、または各物質の互いに異なる濃度を表す。
【００７８】
したがって、使用者はテスト下部領域の色と各基準色表を比較し、前記テスト下部領域の色と一致する前記基準着色下部領域を決定した後、前記特性値または物質の濃度を読み取る。各値表示領域内の数字のうちの１つは、残りと異なるスタイルで印刷することができるが、これにより、基準に沿って水中の許容可能な物質濃度、または許容可能な硬度、または水のｐＨを示すことができる。例えば、この数字は、ボールド体、イタリック体、下線、異なる色、異なる書体、異なる大きさなどで印刷できる。全アルカリ度などのような水の他の特性も判定することができる。
【００７９】
当業者は、本発明が図面に図示また前記で説明したことに限定されないことを理解しなければならない。本発明の範囲は、以下の請求項によって定義される。
【図面の簡単な説明】
【００８０】
【図１Ａ】本発明の第１実施例に従って構成され、操作可能な流体テスト装置の概略図。
【図１Ｂ】流体内に浸漬された図１Ａの前記流体テスト装置の概略図。
【図１Ｃ】前記流体テスト装置を前記流体内に浸漬後、テスト領域の色が変色した、図１Ａの前記流体テスト装置の概略図。
【図２Ａ】本発明の他の実施例に従って構成され、操作可能な容器セットの概略図。
【図２Ｂ】流体と各容器の前記テスト下部領域のテスト物質との反応後の、図２Ａの容器の概略図。
【図３】本発明のまた他の実施例に従って操作可能な、流体の量的特性を判定するための方法の概略図。
【図４】本発明の他の実施例に従って構成され、操作可能な流体テスト装置の概略図。
【図５Ａ】本発明のまた他の実施例に従って構成され、操作可能な容器の概略図。
【図５Ｂ】流体を容器内に注いだ後、前記流体が互いに異なるテスト物質と反応した図５Ａの容器の概略図。
【図６Ａ】本発明のまた他の実施例に従って構成され、操作可能なテスト領域の概略図。
【図６Ｂ】流体と前記テスト下部領域のテスト物質との反応後の、図６Ａのテスト領域の概略図。
【図７】本発明のまた他の実施に従って構成され、操作可能な流体テスト装置の概略図。
【図８Ａ】本発明の他の実施例に従って構成され、操作可能な流体テスト装置の概略図。
【図８Ｂ】本発明の他の実施例に従って構成され、操作可能な流体テスト装置の概略図。
【符号の説明】
【００８１】
１００…流体テスト装置
１０２１〜１０２Ｎ…テスト領域
１０４１〜１０４Ｎ…ラベル領域
１０６１〜１０６Ｎ…基準色表
１０８１〜１０８Ｎ…テスト下部領域
１１０…容器
１１２…流体
2005525553.tif 000003
2005525553.tif 000004
2005525553.tif 000005
2005525553.tif 000006
2005525553.tif 000007
【図３】
2005525553.tif 000008
【図４】
2005525553.tif 000009
2005525553.tif 000010
2005525553.tif 000011
【図７】
2005525553.tif 000012
【図８Ａ】
2005525553.tif 000013
【図８Ｂ】
2005525553.tif 000014
【国際調査報告】
2005525553.tif 000015
2005525553.tif 000016